(57)【特許請求の範囲】
【請求項１】
表面に印刷された形状に応じて切込み線が設けられ、該切込み線により個別シール体が形成された基材と、前記基材の裏面に設けられた粘着剤層とにより形成されたシール本体と、前記シール本体の粘着剤層に貼着された剥離紙を具備して成り、書籍の前後頁のノド部に形成された糊部に貼り込まれて該書籍に綴じ込まれる綴じ込み用シールを有する書籍であって、前記綴じ込み用シールの剥離紙には、前記書籍の糊部の反綴じ側端部から１〜２０ｍｍさらに反綴じ側に離れた位置に該剥離紙を綴じ側と反綴じ側とに分ける連続形状の切り込み線が設けられ、前記書籍の前後頁を見開いたときに前記綴じ側の剥離紙が前記書籍の糊部に追随して前記シール本体から剥ぎ取られるように構成されていることを特徴とする綴じ込み用シールを有する書籍。
【発明の詳細な説明】
【技術分野】
【０００１】
本発明は、例えば絵本、雑誌、本等の書籍の付録等としてこの書籍に貼り込まれ、綴じ込まれる綴じ込み用シールを有する書籍に関し、より詳細には、この綴じ込み用シールの使用前にこの綴じ込み用シールのシール本体が剥離紙から剥がれ、この綴じ込み用シールに形成された個々のシールまでもが剥がれてしまうこと等がない綴じ込み用シールを有する書籍に関する。
【背景技術】
【０００２】
近年、絵本、雑誌、本等の書籍の付録等として、少なくとも裏面に粘着剤層が形成され、表面に基材が形成されたシール本体、及び、このシール本体の裏面に剥離紙（セパレータ）を少なくとも具備することにより構成される綴じ込み用のシールが知られている。このようなシールとして、例えば特許文献１や特許文献２等に示すような粘着シールが提案され、実用化されている。
【０００３】
そして、このようなシールは、シール本体の基材表面に標語等の各種文字や各種図柄、例えば人気アニメキャラクターの図案等が印刷されており、この印刷された文字や図柄等の形状に応じてシール本体に切取り線を設け、個々のシール（以下、この個々のシールを「個別シール体」と言う。）を形成し、使用者がこの個別シール体を剥離紙から剥がし、個別シール体を貼りたい場所や道具等に貼り付けることによって使用される。また、剥離紙は、シール本体の粘着剤層を保護する役割を果たすものである。
【０００４】
このシールは書籍に綴じ込まれる際、シールが綴じ込まれる前後の頁部におけるノド部（書籍の綴じ側の余白）に塗布された糊等の接着剤を介してシールのノド部側が貼り込まれる。このようにシールは書籍に綴じ込まれる際に、シールのノド部の表面（基材等の表面）、及び裏面（剥離紙の裏面）に糊等の接着剤が付着するため、書籍を見開くと、シール本体が剥離紙（セパレータ）から剥がれ、シール本体が剥離紙から浮いてしまう、「浮き」と呼ばれる欠陥が、シールの一部に発生するという問題がある。特に、シール１１１のノド部１１８に近い部分は、図７に書籍１００の概略斜視図で示すように、シール本体１１５が剥離紙１１６から剥がれトンネル状に開いて浮いてしまい、この浮きによりノド部１１８に近い側の個別シール体１２０が剥離紙１１６から剥がれる等のトラブルが発生し、さらには剥がれた個別シール体１２０が紛失してしまう等の問題が発生する。特にシール１１１が表紙と１頁目との間に貼り付けられて綴じ込まれる場合にこの問題が顕著であった。また、使用前に個別シール体１２０が剥離紙１１６から剥がれると、粘着剤層の粘着剤の効果が低下してしまうという問題もあった。従って、使用者が使用するまで個別シール体１２０が剥離紙１１６から剥がれないことが求められている。
【０００５】
このような問題を解決するために、図８にシール１１１の平面図で示し、図９にシール１１１が貼り込まれた書籍１００の概略斜視図で示すように、書籍１００の頁部１１２に塗布される糊等の接着剤が付着する剥離紙１１６及びシール本体１１５の位置の近辺に複数本の縦長のミシン目Ｍを設け、このミシン目Ｍに沿って剥離紙１１６及びシール本体１１５を山折りし、シール１１１のノド部１１８に近い側を、図１０に図９のＩＸ−ＩＸ概略断面図に示すように、屈曲させることで、シール本体１１５が剥離紙１１６から剥がれ、浮き上がることを防止する技術も実用化されている。しかしながら、この技術をもってしても、上述したような問題を完全に解消するには至らなかった。
【特許文献１】特開平１１−７１５５６号公報
【特許文献２】特開２０００−３３０４７１号公報
【発明の開示】
【発明が解決しようとする課題】
【０００６】
本発明は、上述したような実情に鑑みてなされたものであり、その目的とするところは、特に綴じ込み用シールのノド部側において、シール本体が剥離紙から剥がれ、シール本体がトンネル状に浮いてしまうことを防止し、綴じ込み用シールを使用する前に個別シール体が剥離紙から剥がれてしまうことを防止した綴じ込み用シールを有する書籍を提供することにある。
【課題を解決するための手段】
【０００７】
本発明の上記目的は、表面に印刷された形状に応じて切込み線が設けられ、該切込み線により個別シール体が形成された基材と、前記基材の裏面に設けられた粘着剤層とにより形成されたシール本体と、前記シール本体の粘着剤層に貼着された剥離紙を具備して成り、書籍の前後頁のノド部に形成された糊部に貼り込まれて該書籍に綴じ込まれる綴じ込み用シールを有する書籍であって、前記綴じ込み用シールの剥離紙には、前記書籍の糊部の反綴じ側端部から１〜２０ｍｍさらに反綴じ側に離れた位置に該剥離紙を綴じ側と反綴じ側とに分ける連続形状の切り込み線が設けられ、前記書籍の前後頁を見開いたときに前記綴じ側の剥離紙が前記書籍の糊部に追随して前記シール本体から剥ぎ取られるように構成されていることを特徴とする綴じ込み用シールを有する書籍を提供することによって達成される。
【発明の効果】
【０００８】
本発明に係る綴じ込み用シールによれば、書籍に形成される糊部の反綴じ側の端部から１〜２０ｍｍさらに反綴じ側に離れた剥離紙の位置に、この剥離紙を綴じ側と反綴じ側とに分ける連続形状の切り込み線が設けられているので、このような綴じ込み用シールが書籍に用いられると、書籍に貼り込まれた綴じ込み用シールをめくった際に、ノド部側の剥離紙が書籍の後頁部の糊部に追随してシール本体から意図的に剥がれる。これにより、シール本体が剥離紙からトンネル状に浮いてしまい、使用者が綴じ込み用シールを使用する前に、個別シール体が剥離紙から剥がれ、さらには紛失してしまうことを防止することができる。
【発明を実施するための最良の形態】
【０００９】
以下、本発明に係る綴じ込み用シールを有する書籍について、図面を参照しながら詳細に説明する。なお、本発明は、以下の実施形態に限定されるものではなく、特許請求の範囲を逸脱しない範囲において、適宜変更可能であることは言うまでもない。
【００１０】
図１は本発明に係る綴じ込み用シールを有する書籍（以下、「本書籍」と言う。）１０の、綴じ込み用シール（以下、単に「綴じ込みシール」と言う。）１１がめくられる前の状態を示す概略図であり、図２は本書籍１０に貼り込まれる綴じ込みシール１１を剥離紙１６側から見た平面図である。図示するように、本書籍１０は、少なくとも綴じ込みシール１１と、折丁や枚葉などから構成される頁部１２とを具備して構成されている。
【００１１】
綴じ込みシール１１は、後述する図４に示すように、さらに少なくとも基材１３と粘着剤層１４とから成るシール本体１５、及び剥離紙１６により構成されている。すなわち、基材１３の裏面に粘着剤層１４を形成してシール本体１５が形成され、粘着剤層１４を介して剥離紙１６がシール本体１５の裏面に貼着されて綴じ込みシール１１が形成される。
【００１２】
基材１３は、公知の種々の印刷インク、印刷方法等により、文字や図柄等を表面に印刷して形成され、また粘着剤層１４も公知の種々の材料等により構成されている。基材１３には、図１に円形、三角形、四角形で示すような、文字や図柄等の印刷形状に応じた形状の切取り線が設けられ、この切取り線により個別シール体２０が形成されている。この個別シール体２０は、前述した従来のシールと同様に、剥離紙１６から剥ぎ取られて使用される。
【００１３】
綴じ込みシール１１には、図２に示すように剥離紙１６の綴じ側（ノド部１８側）に連続形状の切り込み線１７が設けられている。綴じ込みシール１１を貼り込むため書籍１０の前後頁部１２のノド部１８には線糊等を引いて糊部１９が形成されるが、この切り込み線１７は、この書籍１０に形成された糊部１９の反綴じ側（ノド部１８と対向する側）の端部から１〜２０ｍｍ、加工適性の観点から好ましくは５〜１５ｍｍ、より好ましくは５〜１０ｍｍさらに反綴じ側に離れた剥離紙１６の位置に設けられる。すなわち、図１に示すように、糊部１９の反綴じ側の端部に相当する位置から切り込み線１７までの長さＬが１〜２０ｍｍとなるように切り込み線１７が設けられる。これにより、図２に示すように、剥離紙１６がノド部１８側（綴じ側）の剥離紙１６Ａとその他（反綴じ側）の部分の剥離紙１６Ｂとに分けられる。
【００１４】
このような切り込み線１７が剥離紙１６に設けられた綴じ込みシール１１を書籍１０に貼り込み、綴じ込みシール１１をめくると、図３に書籍１０を開き、綴じ込みシール１１がめくられた後の状態である書籍１０の斜視図で示し、また図４に図３のＩＩＩ−ＩＩＩ断面の概略構成図で示すように、ノド部１８側の剥離紙１６Ａが書籍１０の後頁部１２の糊部１９に追随してシール本体１５から意図的に剥がれる。これにより、シール本体１５が剥離紙１６から浮いてしまい、トンネル状になることがなくなり、使用者が個別シール体２０を使用する前に、特にノド部１８に近い部分に形成された個別シール体２０が剥離紙１６から剥がれ、さらには紛失してしまうことがなくなる。
【００１５】
なお、剥離紙１６の糊部１９の反綴じ側の端部から切り込み線１７までの長さＬが１ｍｍ未満であると、すなわち、切り込み線１７がほぼ糊部１９上に形成されると、頁部１２に塗布された糊等の接着剤が綴じ込みシール１１を貼り込むことにより押し潰されてはみ出ることがあり、この場合に、書籍１０を開いたときに、ノド部１８側の剥離紙１６Ａがうまく剥がれないことがある。一方、糊部１９の反綴じ側の端部から切り込み線１７までの長さＬが２０ｍｍを超えると、後頁に追随する剥離紙１６の幅が大きくなりすぎ、後頁に印刷された文字等が読み難くなるという問題が発生することが考えられる。
【００１６】
また、切り込み線１７の形状は、図２等に示すように１本の直線形状に限らず、この他、例えば波線形状や、図５に示す方形の波形状等連続する形状であれば良い。
【００１７】
さらに、図６に示すように、切り込み線１７の始端部及び／又は終端部を、始端部及び／又は終端部を綴じ側に円弧形状にすると、ノド部１８においてシール本体１５の粘着剤層１４の露出が少なくなるので、シール本体１５が剥離紙１６から剥がれ、浮いてしまうことをより防止することができる。
【００１８】
さらにまた、切り込み線１７の近傍、具体的には図２に示す切り込み線１７を中心とする幅Ｗが５〜１０ｍｍに相当する位置の粘着剤層１４の粘着強度を、他の粘着剤層１４の部位よりも高くすることが好ましく、これによりシール本体１５が剥離紙１６から剥がれ、浮いてしまうことを防止し、使用者が綴じ込みシール１１を使用する前に、個別シール体２０が剥離紙１６から剥がれ、さらには紛失してしまうことを防止することができる。
【００１９】
なお、綴じ込みシール１１の直後に位置する頁部１２は裏表紙であってもよく、また綴じ込みシール１１の直前に位置する頁部は表紙であっても良い。
【００２０】
本書籍１０は、綴じ込みシール１１が貼り込まれる前後の頁部１２のノド部１８に糊部１９を形成し、この糊部１９を介して綴じ込みシール１１が貼り込まれて形成される。
【図面の簡単な説明】
【００２１】
【図１】本発明に係る綴じ込みシールを有する書籍の、綴じ込みシールがめくられる前の状態を示す概略斜視図である。
【図２】剥離紙側から見た場合の綴じ込みシールの平面図である
【図３】書籍を開き、綴じ込みシールがめくられた後の状態である書籍の概略斜視図である。
【図４】図３のＩＩＩ−ＩＩＩ概略断面図である。
【図５】本発明に係る綴じ込みシールに形成される切り込み線の変更例を示す図である。
【図６】本発明に係る綴じ込みシールに形成される切り込み線の他の変更例を示す図である。
【図７】従来の綴じ込みシールを有する書籍の概略斜視図である。
【図８】基材側から見た場合の従来の綴じ込みシールの平面図である。
【図９】図８に示す綴じ込みシールが貼りこまれた書籍の概略斜視図である。
【図１０】図９のＩＸ−ＩＸ断面の概略図である。
【符号の説明】
【００２２】
１０，１００      書籍
１１，１１１      綴じ込みシール
１２，１１２      頁部
１３              基材
１４              粘着剤層
１５，１１５      シール本体
１６，１１６      剥離紙
１７              切り込み線
１８，１１８      ノド部
１９              糊部
２０，１２０      個別シール体
Ｌ                剥離紙のノド部側と反対側の糊部の端部から切り込み線までの長さ
Ｍ                ミシン目
【図１】
0004803615.tif 000002
【図２】
0004803615.tif 000003
【図３】
0004803615.tif 000004
【図４】
0004803615.tif 000005
【図５】
0004803615.tif 000006
【図６】
0004803615.tif 000007
【図７】
0004803615.tif 000008
【図８】
0004803615.tif 000009
【図９】
0004803615.tif 000010
【図１０】
0004803615.tif 000011